(57)【要約】【課題】複数の視聴装置から設定される記録再生装置のしおり位置に対して、そのしおり位置を設定した視聴装置を特定することを可能とする。また、ユーザーが視聴を中断した位置を特定することを可能とする。【解決手段】記録再生装置の記録メディアにある管理情報にしおり位置を書き込む際に、しおり位置としおり位置を設定した視聴装置のＩＤを持つしおり情報を書き込む。さらに、番組データ視聴手段による再生の停止、あるいは視聴装置が放送されている番組の視聴を中断したのをきっかけに、前記視聴装置の前記しおり位置作成手段がしおり情報を作成する。【選択図】図１
2005174458.tif 000002
【特許請求の範囲】
【請求項１】
ネットワークを介して記録再生装置と視聴装置とが接続されたシステムであって、前記記録再生装置は、ネットワークと前記記録再生装置とを繋ぐネットワークインターフェイスＡと、番組データと管理情報を記録する記録メディアと、番組データを前記ネットワークインターフェイスＡに送信する番組データ送信手段と、前記ネットワークインターフェイスＡからしおり位置を受信するしおり位置受信手段と、前記ネットワークインターフェイスＡから視聴装置ＩＤを受信する視聴装置ＩＤ受信手段と、前記しおり位置受信手段が受信したしおり位置と前記視聴装置ＩＤ受信手段が受信した視聴装置ＩＤとからしおり情報を作成するしおり情報作成手段と、前記記録メディアの管理情報を更新する管理情報更新手段を備え、前記視聴装置は、ネットワークと前記視聴装置とを繋ぐネットワークインターフェイスＢと、前記ネットワークインターフェイスＢから番組データを受ける番組データ受信手段と、前記番組データ受信手段で受信した番組データをユーザーに視聴させる番組データ視聴手段と、しおり位置を作成するしおり位置作成手段と、前記しおり位置作成手段が作成したしおり位置を前記ネットワークインターフェイスＢに送信するしおり位置送信手段と、視聴装置のＩＤを送信する視聴装置ＩＤ送信手段とを備え、
前記記録再生装置が前記視聴装置から送られてくるしおり位置と視聴装置ＩＤと元にしおり情報を作成し、前記記録メディアの管理情報に書き込むことを特徴とする記録再生システム。
【請求項２】
ネットワークを介して記録再生装置と視聴装置とが接続されたシステムであって、前記記録再生装置は、ネットワークと記録再生装置とを繋ぐネットワークインターフェイスＡと、番組データと管理情報を記録する記録メディアと、番組データを前記ネットワークインターフェイスＡに送信する番組データ送信手段と、前記ネットワークインターフェイスＡからしおり情報を受信するしおり情報受信手段と、前記記録メディアの管理情報を更新する管理情報更新手段を備え、視聴装置はネットワークと前記視聴装置とを繋ぐネットワークインターフェイスＢと、前記ネットワークインターフェイスＢから番組データを受ける番組データ受信手段と、前記番組データ受信手段で受信した番組データをユーザーに視聴させる番組データ視聴手段と、しおり位置を作成するしおり位置作成手段と、視聴装置のＩＤを通知する視聴装置ＩＤ通知手段と、前期しおり位置作成手段が作成したしおり位置と前記視聴装置ＩＤ通知手段が通知した視聴装置ＩＤを元にしおり情報を作成するしおり情報作成手段と、前記しおり情報作成手段が作成したしおり情報を前記ネットワークインターフェイスＢに送信するしおり情報送信手段とを備え、前記視聴装置がしおり位置と視聴装置ＩＤと元にしおり情報を作成し、ネットワークを介して作成されたしおり情報を前記記録再生装置の前記記録メディアの管理情報に書き込むことを特徴とする記録再生システム。
【請求項３】
前記番組データ視聴手段による再生の停止をきっかけに、前記視聴装置の前記しおり位置作成手段がしおり情報を作成することを特徴とする請求項１または請求項２に記載の記録再生システム。
【請求項４】
前記番組データ視聴手段による放送されている番組の視聴停止をきっかけに、視聴停止した番組の録画を前記記録再生装置が開始するとともに、番組の先頭に前記しおり位置作成手段がしおり情報を作成することを特徴とする請求項１または請求項２に記載の記録再生システム。
【発明の詳細な説明】
【技術分野】
【０００１】
本発明は、ネットワークを介して接続された記録再生装置と視聴装置の記録再生システムに関するものである。
【背景技術】
【０００２】
近年、ネットワークを利用した家電製品が非常に多く発売されており、その中でも記録再生装置は多くの製品が発売されるとともに大きな期待を集めている。記録再生装置において、記録メディアに記録されたコンテンツを所望の位置から再生することは、ユーザーに望まれている機能であり、再生を停止した位置にしおり情報を付加しておき、再生時にしおり情報の位置から再生する方法が既に発明されている（例えば特許文献１参照。）。しかしながら、上記の方法はネットワークで複数台の視聴装置が接続される状況が考慮されていないため、複数台の視聴装置によって記録再生装置の記録メディアにある番組データを視聴するとき、どのしおり情報がどの視聴装置によるものなのか判別できないという問題が生じる。
【特許文献１】特開２００１−３０７３９５号公報
【発明の開示】
【発明が解決しようとする課題】
【０００３】
解決しようとする問題点は、ネットワークを介して複数の視聴装置から設定されるしおり情報が視聴装置を特定できない点である。
【課題を解決するための手段】
【０００４】
本発明は、複数の視聴装置から設定されるしおり情報を設定する際に、同時に視聴装置を特定する情報（視聴装置ＩＤ）も設定することを最も主要な特徴とする。また、視聴装置による再生または視聴を停止したのをきっかけとして、記録再生装置が記録再生装置で視聴を中断した番組の記録を開始し、記録開始位置にしおり情報を設定することによってユーザーが番組の続きを視聴することを特徴とする。
【発明の効果】
【０００５】
本発明の記録再生システムに於ける記録再生装置は、ネットワークを介して複数の視聴装置がしおり位置を設定する際に、同時に視聴装置ＩＤも設定するため、どの視聴装置がどのしおり位置を設定したのかを特定することできるという利点がある。また、再生停止や視聴停止をきっかけに、記録再生装置で視聴を中断した番組の記録を開始し、記録開始位置にしおり位置を設定することによって中断した位置から番組を再生することができるという利点がある。
【発明を実施するための最良の形態】
【０００６】
ネットワークを介して、しおり情報を設定するのと同時に視聴装置ＩＤを設定することで、複数の視聴装置によるしおり情報設定を実現した。
【０００７】
（実施の形態１）
図１は、本発明システムの実施の形態１であって、記録再生装置１は、ネットワークインターフェイス２と、しおり位置受信手段３と、視聴装置ＩＤ受信手段４と、番組データ受信手段５と、しおり情報作成手段６と、管理情報更新手段７と、記録メディア８とで構成される。また、視聴装置９は、ネットワークインターフェイス１０と、番組データ受信手段１１と、番組データ視聴手段１２と、しおり位置作成手段１３と、しおり位置送信手段１４と、視聴装置ＩＤ送信手段１５とで構成される。
【０００８】
ユーザーが視聴装置９を用いて、記録再生装置１の記録メディア８に記録されている番組を視聴しているときの動作について述べる。記録メディア８に記録されている番組データは番組データ送信手段５によってネットワークインターフェイス２に送られる。ネットワークインターフェイス２はネットワーク（ＬＡＮ、ＷＡＮ）を介してネットワークインターフェイス１０に番組データを送る。番組データ受信手段１１はネットワークインターフェイス１０に送られてきた番組データを番組データ視聴手段１２に送ることによって、ユーザーは視聴装置９で番組を視聴することができる。
【０００９】
このとき視聴装置による視聴を中断しなければならないなどの理由によって、ユーザーが番組の特定の位置を記録メディア８の管理情報に記録させておきたいとき、視聴装置９は記録再生装置１の記録メディア８の管理情報にしおり位置と視聴装置ＩＤを登録する。視聴装置９のしおり位置作成手段１３はユーザーがしおり位置として登録したいしおりの位置を作成し、しおり位置送信手段１４は作成されたしおりの位置をネットワークインターフェイス１０に送る。また、視聴装置ＩＤ送信手段１５は、視聴装置のＩＤをネットワークインターフェイス１０に送る。ネットワークを介して受信したしおり位置と視聴装置ＩＤはネットワークインターフェイス２を経由した後、しおり位置はしおり位置受信手段３に送られ、視聴装置ＩＤは視聴装置ＩＤ受信手段４に送られる。しおり情報作成手段６はしおり位置受信手段３が受信したしおり位置と視聴装置ＩＤ受信手段４が受信した視聴装置ＩＤを元にしおり情報を作成する。管理情報更新手段７はしおり情報作成手段６が作成したしおり情報を記録メディア８の管理情報に書き込む。これによって記録メディアの管理情報は視聴装置ＩＤによって視聴装置を特定することができるしおり情報が記録される。
【００１０】
この発明は、どの視聴装置がどのしおり位置を設定したのかが容易に判別できるため、ネットワークを介して接続された視聴装置・記録再生装置の使い易さの向上におおいに役立つ。
【００１１】
（実施の形態２）
図２は、本発明システムの実施の形態２であって、１〜１５は実施の形態１で示したものと同じ働きをするため説明は省略する。
【００１２】
実施の形態１で説明したようにユーザーが番組の特定の位置を記録メディア８の管理情報に記録させておきたいとき、視聴装置９は記録再生装置１の記録メディア８の管理情報にしおり位置と視聴装置ＩＤを登録する。視聴装置９のしおり位置作成手段１３はユーザーがしおり位置として登録したいしおりの位置を作成し、しおり情報作成手段１７にしおり位置を送る。また、視聴装置ＩＤ通知手段１９は視聴装置ＩＤをしおり情報作成手段１７に送る。しおり情報作成手段１７はしおり位置と視聴装置ＩＤを元にしおり情報を作成し、しおり情報をしおり情報送信手段１８に送る。しおり情報送信手段１８は送られてきたしおり情報をネットワークインターフェイス１０に送り、ネットワークインターフェイス１０はネットワークを介して、記録再生装置１にしおり情報を送る。記録再生装置１に送られてきたしおり情報はネットワークインターフェイス２を経由して、しおり情報受信手段１６に送られる。しおり情報受信手段１６が受信したしおり情報は実施の形態１で説明したのと同様に記録メディア８に書き込まれる。
【００１３】
この方法は、実施の形態１とは異なり記録再生装置１がしおり情報作成手段を有していなくても、しおり情報からしおり位置と視聴装置ＩＤを特定できるという利点がある。
【００１４】
図３は、本発明システムの機能を時間軸によって説明したものである。実施の形態１および実施の形態２で説明したように、記録再生装置１は視聴装置ＩＤとしおり情報を管理情報更新手段７によって記録メディア８の管理情報に書き込むことができる。
【００１５】
ユーザーが放送されている番組を視聴装置９によって見ているとき、同時に同じ番組を記録再生装置は録画しているとする。このとき、図３（ａ）に示すように、ユーザーが視聴を停止するとそれをきっかけに記録メディアの管理情報にしおり情報を書き込むことによって視聴を中断した位置から再生できるという利点がある。また、図３（ｂ）に示すように、記録再生装置が録画をしていないときでも視聴装置が視聴を停止したのをきっかけに、記録再生装置がしおり情報を設定するとともに録画を開始することによって視聴中断した位置から再生できるという利点がある。
【産業上の利用可能性】
【００１６】
本発明にかかる記録再生システムは、ネットワークを介して番組を視聴中、しおり情報を設定する際に同時に視聴装置ＩＤも登録するため、ネットワーク接続可能なＡＶ機器に適用できる。
【図面の簡単な説明】
【００１７】
【図１】本発明の実施の形態１に於ける記録再生システムのブロック図
【図２】本発明の実施の形態２に於ける記録再生システムのブロック図
【図３】本発明の記録再生システムの機能の説明図
【符号の説明】
【００１８】
１    記録再生装置
２，１０    ネットワークインターフェイス
３    しおり位置受信手段
４    視聴装置ＩＤ受信手段
５    番組データ送信手段
６    しおり情報作成手段
７    管理情報更新手段
８    記録メディア
９    視聴装置
１１    番組データ受信手段
１２    番組データ視聴手段
１３    しおり位置作成手段
１４    しおり位置送信手段
１５    視聴装置ＩＤ送信手段
１６    しおり情報受信手段
１７    しおり情報作成手段
１８    しおり情報送信手段
１９    視聴装置ＩＤ通知手段
【図１】
2005174458.tif 000003
【図２】
2005174458.tif 000004
【図３】
2005174458.tif 000005